(57)【特許請求の範囲】
【請求項１】
被操作側面に開口するキー挿入穴を有する回転可能なシリンダーと前記シリンダーを回転操作できなくするロック機構とを備えたシリンダー装置と、前記シリンダーを回転操作するための鍵とを備えた盗難防止機構付きキーセットであって、
前記ロック機構に、
前記シリンダーの被操作側面側に回転可能に配置され、前記キー挿入穴に穴形状を一致させて連通できるキー挿通穴を有するシャッターと、
前記シャッターに対向して配置された係止部と、
前記シャッターと前記係止部の一方に設けられた収容凹部とその内部に配置された弾性部材および係合磁石と、前記シャッターと前記係止部の他方に設けられた係合凹部からなり、前記収容凹部が前記係合凹部に対向したときに、前記弾性部材の押圧力により前記係合磁石を前記係合凹部に係合させて前記シャッターを回転できなくし、前記係合磁石に所定の反発力または吸引力が付加されると前記弾性部材の押圧力に抗して前記係合磁石が前記収容凹部内に後退して前記シャッターを回転可能な状態にするロック部と
が備わり、
前記鍵に、
操作面を備えた鍵本体と、
前記鍵本体の操作面側に設けられ、前記係合磁石に接近したときに、前記係合磁石を前記収容凹部の奥側に付勢する係合解除磁石と、
前記操作面から進退可能な状態で前記鍵本体内に設けられ、前記キー挿通穴が前記キー挿入穴に穴形状を一致させて連通したときに前記操作面から突出させると、前記キー挿通穴を挿通して前記キー挿入穴に入り、前記シリンダーを回転できるようになるメインキーと
が備わっていることを特徴とする盗難防止機構付きキーセット。
【請求項２】
前記鍵本体に、前記メインキーを前記操作面から突出させる鍵側弾性部材と、前記鍵側弾性部材の押圧力に抗して前記メインキーを前記鍵本体内に後退させた状態に保持する保持部と、前記保持部による前記メインキーの保持を解除させる解除部を設けた請求項１に記載の盗難防止機構付きキーセット。
【請求項３】
前記鍵に係合部を設けるとともに、前記シャッターに前記係合部と係合可能な被係合部を設け、前記係合部が前記被係合部に係合しているときに、前記係合解除磁石が前記係合磁石を前記収容凹部の奥側に付勢するようにした請求項１または２に記載の盗難防止機構付きキーセット。
【請求項４】
前記ロック部を複数設けた請求項１ないし３のうちのいずれか一つに記載の盗難防止機構付きキーセット。
【請求項５】
前記係止部を、前記シャッターの表面における前記キー挿通穴以外の部分を覆うカバー部材で構成し、前記カバー部材に前記係合凹部を設け、前記シャッターに前記収容凹部、前記弾性部材および前記係合磁石を設けた請求項１ないし４のうちのいずれか一つに記載の盗難防止機構付きキーセット。
【請求項６】
前記係止部を前記シリンダーに設け、前記シリンダーの係止部に、前記収容凹部、前記弾性部材および前記係合磁石を設け、前記シャッターに前記係合凹部を設けて、前記収容凹部が前記係合凹部に対向したときに、前記シャッターが前記キー挿入穴の少なくとも一部を塞ぐようにした請求項１ないし５のうちのいずれか一つに記載の盗難防止機構付きキーセット。
【請求項７】
被操作側面に開口するキー挿入穴を有する回転可能なシリンダーと前記シリンダーを回転操作できなくするロック機構とを備えたシリンダー装置と、前記シリンダーを回転操作するための鍵とを備えた盗難防止機構付きキーセットであって、
前記ロック機構に、
前記シリンダーの表面に配置され、前記シリンダーの被操作側面における前記キー挿入穴以外の部分を覆う係止部と、
前記シリンダーと前記係止部の一方に設けられた収容凹部とその内部に配置された弾性部材および係合磁石と、前記シリンダーと前記係止部の他方に設けられた係合凹部からなり、前記収容凹部が前記係合凹部に対向したときに、前記弾性部材の押圧力により前記係合磁石を前記係合凹部に係合させて前記シリンダーを回転できなくし、前記係合磁石に所定の反発力または吸引力が付加されると前記弾性部材の押圧力に抗して前記係合磁石が前記収容凹部内に後退して前記シリンダーを回転可能な状態にするロック部と
が備わり、
前記鍵に、
操作面を備えた鍵本体と、
前記鍵本体の操作面側に設けられ、前記係合磁石に接近したときに、前記係合磁石を前記収容凹部の奥側に付勢する係合解除磁石と、
前記操作面から突出するメインキーと
が備わっていることを特徴とする盗難防止機構付きキーセット。
【発明の詳細な説明】
【技術分野】
【０００１】
本発明は、自動二輪車、小型水上滑走艇等に設けられるシリンダー装置と、そのシリンダー装置を操作するための鍵を備えた盗難防止機構付きキーセットに関する。
【背景技術】
【０００２】
例えば、自動二輪車には、エンジンを始動させるためのイグニッションコイルを備えたシリンダー装置が設けられており、自動二輪車を使用する際には、シリンダー装置のキー挿入穴に、鍵のメインキーを挿入して回転する操作が行われる。このようなシリンダー装置の中に、盗難防止のためにシリンダー装置を操作できなくするロック機構を備えたものがあり、このロック機構を備えたシリンダー装置と鍵で盗難防止機構付きキーセットが構成されている（例えば、特許文献１参照）。
【０００３】
この盗難防止機構付きキーセットのシリンダー装置は、シリンダボディの内部にロータ（シリンダー）を回転可能に設置するとともに、ロータの上面にシャッターを回転可能に設置して構成されている。ロータの中央には上方から見た形状が長方形のキー孔（キー挿入穴）が上下方向に形成されている。また、ロータの上面における外周側部分には、４つの凹部が円周に沿うように間隔をおいて形成され、それぞれの凹部にバネによって上方に付勢された４つの磁石が上下に移動可能に設けられている。シャッターは、ロータの上部を覆っており、中央に平面視がキー孔と同形の孔形状が形成され、下面における外周側部分には、ロータの４つの磁石と同じ配置で４つの凹部が形成されている。この凹部には、それぞれ磁石が係合可能になっており、凹部に磁石が係合したときに、孔形状はキー孔と位置ずれした状態になる。
【０００４】
シリンダー装置を操作するためのイグニッションキー（鍵）は、把持部から下方に延びるキー部（メインキー）と、把持部の上部に設けられたマグネットキーを備えている。マグネットキーは、内部に２つの磁石が設けられた一対の膨出部と、シャッターの孔形状に係合可能な突出部を備えており、膨出部の磁石は、ロータの磁石と同じ配置で対向する部分が同極になるように設置されている。また、突出部を孔形状に係合させたとき、膨出部の磁石とロータの磁石は対向するよう配置されている。このため、突出部を孔形状に係合させると、ロータの磁石は膨出部の磁石の反発力によって下方に移動して凹部から後退するため、シャッターはロータに対して回転可能になる。その状態でマグネットキーを回転することにより、孔形状とキー孔の穴形状を一致させて連通させることができる。
【０００５】
キー部は、穴形状を一致させて連通した孔形状とキー孔に挿し込むことができ、孔形状とキー孔に挿し込んだ状態で回転操作することにより、ロータを回転させて、自動二輪車のエンジンを始動することができる。このように、この盗難防止機構付きキーセットでは、自動二輪車を使用しないときには、シャッターでキー孔を塞ぐことで盗難防止ができ、自動二輪車を使用するときには、マグネットキーで、孔形状とキー孔の位置を一致させたのちに、キー部でロータを回転させることができる。
【先行技術文献】
【特許文献】
【０００６】
【特許文献１】特開２０１２−１２７６２号公報
【発明の概要】
【０００７】
しかしながら、前述した従来の盗難防止機構付きキーセットでは、イグニッションキーの上部にマグネットキーが設けられ、イグニッションキーの下部にキー部が設けられている。このため、イグニッションキーを上下に反転させながらマグネットキーとキー部を操作しなければならず、操作性が良くないという問題がある。すなわち、まず、マグネットキーを用いてシャッターを回転させ、孔形状とキー孔の穴形状を一致させたのちに、マグネットキーをシャッターから外し、再度、キー部を孔形状を介してキー孔に挿入することが必要であるため、キー部をキー孔に挿入する操作がし難くなる。
【０００８】
本発明は、前述した問題に対処するためになされたもので、その目的は、操作性が優れた盗難防止機構付きキーセットを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００９】
上記の目的を達成するため、本発明に係る盗難防止機構付きキーセットの構成上の特徴は、被操作側面（２２ｂ）に開口するキー挿入穴（２２ａ）を有する回転可能なシリンダー（２２）とシリンダーを回転操作できなくするロック機構（２３）とを備えたシリンダー装置（２０）と、シリンダーを回転操作するための鍵（３０）とを備えた盗難防止機構付きキーセットであって、ロック機構に、シリンダーの被操作側面側に回転可能に配置され、キー挿入穴に穴形状を一致させて連通できるキー挿通穴（２４ａ）を有するシャッター（２４）と、シャッターに対向して配置された係止部（２６）と、シャッターと係止部の一方に設けられた収容凹部（２４ｂ）とその内部に配置された弾性部材（２７ａ）および係合磁石（２７）と、シャッターと係止部の他方に設けられた係合凹部（２６ｃ）からなり、収容凹部が係合凹部に対向したときに、弾性部材の押圧力により係合磁石を係合凹部に係合させてシャッターを回転できなくし、係合磁石に所定の反発力または吸引力が付加されると弾性部材の押圧力に抗して係合磁石が収容凹部内に後退してシャッターを回転可能な状態にするロック部とが備わり、鍵に、操作面を備えた鍵本体（３１）と、鍵本体の操作面側に設けられ、係合磁石に接近したときに、係合磁石を収容凹部の奥側に付勢する係合解除磁石（３５）と、操作面から進退可能な状態で鍵本体内に設けられ、キー挿通穴がキー挿入穴に穴形状を一致させて連通したときに操作面から突出させると、キー挿通穴を挿通してキー挿入穴に入り、シリンダーを回転できるようになるメインキー（３４）とが備わっていることにある。
【００１０】
本発明に係る盗難防止機構付きキーセットでは、シリンダー装置に、回転することによりシリンダーのキー挿入穴に穴形状を一致させて連通できるキー挿通穴を備えたシャッターを設けて、キー挿通穴とキー挿入穴の穴形状を一致させたり、キー挿入穴の一部または全部を塞いだりすることができるようにしている。また、シャッターに対向する係止部を設けるとともに、シャッターと係止部にロック部を設けているため、係止部に対してシャッターを回転可能にしたり、回転不可にしたりできる。この場合、シャッターが回転不可のときには、シャッターがキー挿入穴の少なくとも一部を塞ぐようにすることが好ましい。これによって、キー挿入穴に、ドライバーやピンなどを挿入し難くなり、シリンダー装置が取り付けられる、例えば、自動二輪車が盗難にあうことを防止できる。
【００１１】
また、ロック部は、シャッターと係止部の一方に設けられた収容凹部とその内部に配置された弾性部材および係合磁石と、シャッターと係止部の他方に設けられ弾性部材の押圧力によって係合磁石が係合できる係合凹部とからなっており、係合磁石に所定の反発力または吸引力が付加されると弾性部材の押圧力に抗して係合磁石が収容凹部内に後退するように構成されている。この場合、シャッターと係止部の位置関係および、収容凹部と係合凹部をシャッターと係止部のいずれの方に設けるかで、係合磁石に付加する力を反発力にするか吸引力にするかが異なってくる。
【００１２】
例えば、係止部をシャッターの表面側に配置して、シャッターに、収容凹部、弾性部材および係合磁石を設けるとともに、係止部に係合凹部を設けて、弾性部材の押圧力によって係合磁石を係合凹部に係合させる場合には、鍵本体の操作面側に、反発力により弾性部材を収縮させて係合磁石を収容凹部の奥側に付勢する係合解除磁石を設ける。この場合、係合磁石と係合解除磁石は、対向する部分が同極になるように設置して、係合磁石と係合解除磁石に反発力が生じるようにする。これによると、鍵本体の操作面を係止部の表面に接近させると係合磁石が弾性部材に抗して収容凹部の奥側に移動して係合磁石と係合凹部の係合が解除される。
【００１３】
また、係止部をシャッターの表面側に配置して、係止部に、収容凹部、弾性部材および係合磁石を設け、シャッターに係合凹部を設ける場合には、鍵本体の操作面側に設置される係合解除磁石と係止部に設置される係合磁石との対向する部分が互いに異極になるようにする。これによると、鍵本体の操作面を係止部の表面に接近させると係合解除磁石が係合磁石を吸引して係合磁石は弾性部材に抗して収容凹部の奥側に移動し係合磁石と係合凹部の係合が解除される。
【００１４】
さらに、係止部をシャッターよりもシリンダー側に配置して、係止部に、収容凹部、弾性部材および係合磁石を設け、シャッターに係合凹部を設ける場合には、鍵本体の操作面側に設置される係合解除磁石と係止部に設置される係合磁石の対向する部分が同極になるようにする。これによると、鍵本体の操作面をシャッターの表面に接近させると、係合磁石は、係合解除磁石に対する反発力によって弾性部材に抗して収容凹部の奥側に移動し係合磁石と係合凹部の係合が解除される。
【００１５】
また、係止部をシャッターよりもシリンダー側に配置して、シャッターに、収容凹部、弾性部材および係合磁石を設け、係止部に係合凹部を設ける場合には、鍵本体の操作面側に設置される係合解除磁石とシャッターに設置される係合磁石の対向する部分が異極になるようにする。これによると、鍵本体の操作面をシャッターの表面に接近させると、係合解除磁石が係合磁石を吸引するため、係合磁石が弾性部材に抗して収容凹部の奥側に移動し係合磁石と係合凹部の係合が解除される。
【００１６】
また、本発明では、鍵本体内に設けたメインキーを操作面から進退可能にしている。このため、メインキーを後退させて係合磁石に係合解除磁石を対向させたままの状態で鍵とシャッターを回転させて、キー挿通穴とキー挿入穴を一致した状態で連通させると、メインキーを突出させてキー挿通穴とキー挿入穴に挿入することができる。これによって、シリンダーの回転操作が可能になる。このように、本発明によると、シャッターを回転させて、キー挿通穴とキー挿入穴を一致させた状態で連通させる操作と、メインキーを突出させてキー挿通穴とキー挿入穴に挿入する操作が、鍵の操作面をシリンダー装置の所定の部分に対向させたままの状態で行える。
【００１７】
このため、従来の盗難防止機構付きキーセットのように、鍵を持ち代えて上下に反転しながら前述した両操作を行う必要がなくなり、メインキーのキー挿入穴への挿入が容易で、操作性に優れた盗難防止機構付きキーセットが得られる。さらに、本発明によると、鍵を使用しないときには、メインキーを鍵本体内に後退させることによって、鍵を小さくして衣服のポケットや小物入れに収容することができる。
【００１８】
なお、本発明において、弾性部材は、コイルばね、伸縮可能な棒状部材や板状部材などで構成することができる。また、係止部は、ロック部を介してシャッターを回転できない状態にしたり、回転可能な状態にしたりするためのもので、シャッターの表面側または裏面側に配置された板状の部材や、シリンダーの被操作側面の一部で構成することができる。なお、係止部をシャッターの表面側に配置された部材で構成するときには、窓穴などを備えて鍵によるシャッターの回転操作を妨げない構造のものを用いる。また、係止部をシャッターよりもシリンダー側に配置する場合は、係止部がメインキーのキー挿入穴への挿入を妨げないように挿通穴を備えたものにする。
【００１９】
さらに、鍵のメインキーは、所定の機構を用いて鍵本体から進退できるようにしてもよいし、鍵の自重や手の操作で鍵本体から進退できるようにしてもよい。手の操作でメインキーを鍵本体から進退させる場合には、鍵本体に内部から外部に貫通する溝を設けるとともに、メインキーに溝を貫通して外部に突出する突出片を設け、この突出片を溝に沿って移動させることによりメインキーを鍵本体から進退させるようにすることができる。また、キー挿通穴とキー挿入穴は、直接重なって連通できるものでもよいし、間に他の部材の穴を介して連通できるものであってもよい。
【００２０】
本発明に係る盗難防止機構付きキーセットの他の構成上の特徴は、鍵本体に、メインキーを操作面から突出させる鍵側弾性部材（３７）と、鍵側弾性部材の押圧力に抗してメインキーを鍵本体内に後退させた状態にメインキーを保持する保持部（３６，３６ａ，３２ｃ）と、保持部によるメインキーの保持を解除させる解除部（３８）を設けたことにある。
【００２１】
本発明によると、メインキーを使用しないときには、鍵側弾性部材に抗してメインキーを鍵本体内に後退させてその状態を保持部で保持することができ、シャッターのキー挿通穴をシリンダーのキー挿入穴に重ねてメインキーをキー挿通穴とキー挿入穴に挿し込むときには、解除部を操作することにより、鍵側弾性部材の押圧力でメインキーを操作面から突出させることができる。このため、メインキーを鍵本体内に後退させてその状態を保持するための操作と、メインキーを突出させるための操作の双方が容易になる。
【００２２】
なお、鍵側弾性部材は、前述したロック部の弾性部材と同様、コイルばね、伸縮可能な棒状部材や板状部材などで構成することができる。保持部は、例えば、メインキーの周面から突出する弾性突出部と、鍵本体におけるメインキーを収容する収容部の周面に形成され弾性突出部が係合できる穴部で構成し、解除部は鍵本体の外周に設けられ押圧されることにより、弾性突出部をメインキーの内部に後退させる押圧部で構成することができる。また、保持部を、鍵本体におけるメインキーを収容する収容部の開口を開閉するように移動できる蓋部で構成し、解除部を押圧操作により蓋部を開放側に移動させる操作ボタンで構成することもできる。
【００２３】
本発明に係る盗難防止機構付きキーセットのさらに他の構成上の特徴は、鍵に係合部（３３ａ）を設けるとともに、シャッターに係合部と係合可能な被係合部（２４ｃ）を設け、係合部が被係合部に係合しているときに、係合解除磁石が係合磁石を収容凹部の奥側に付勢するようにしたことにある。
【００２４】
本発明によると、鍵本体の係合部がシャッターの被係合部に係合したときに、ロック部によるシャッターのロックが解除されるため、係合部を被係合部に係合させたまま、鍵を回転させて、シャッターのキー挿通穴をシリンダーのキー挿入穴に一致させて連通させることができる。このため、シャッターの回転操作が容易、かつ確実に行えるようになる。この場合の係合部と被係合部は、鍵を回転させたときに、シャッターが鍵とともに回転するように係合することが好ましく、例えば、シャッターの表面に凸部または凹部を設け、鍵本体の操作面にシャッターの凸部または凹部に係合可能な凹部または凸部を設けることで構成できる。また、メインキーが鍵本体内に後退したときに、メインキーの先端がキー挿通穴に挿通できるがキー挿入穴には届かないようにして、メインキーとキー挿通穴で係合部と被係合部を構成してもよい。
【００２５】
本発明に係る盗難防止機構付きキーセットのさらに他の構成上の特徴は、ロック部を複数設けたことにある。
【００２６】
本発明によると、係止部に対するシャッターのロックを解除するための係合磁石と係合解除磁石の組み合わせを増やせるため、より効果的な盗難防止が可能になる。例えば、シリンダー装置にロック部が１つ設けられている場合には、メインキーと同形のキーまたはピンなどと磁石を用いて盗みを試みる者が、磁石のＳ極とＮ極の２つの部分を係止部またはシャッターに近づける２回の操作のいずれかで、係止部に対するシャッターのロックを解除することができるが、ロック部を複数設けることにより、係止部に対するシャッターのロックを解除することがより困難になる。
【００２７】
例えば、シリンダー装置にロック部を２つ設けた場合には、その２つのロック部の位置の組み合わせに加えて２つの係合磁石のＳ極とＮ極の組み合わせが４通りでき、盗みを試みる者が、複数の磁石を用いても、この２つのロック部に対応する配置を見つけ出すことはかなり困難になる。さらに、ロック部を３つ以上設けると、係止部に対するシャッターのロックを解除することはさらに難しくなる。このため、例えば、ロック部を３つまたは４つ設けてそれらの位置を、シャッターの回転中心点からの距離がそれぞれ異なるように配置すると、シリンダー装置を破壊することなく、係止部に対するシャッターのロックを解除することは殆ど不可能になる。
【００２８】
本発明に係る盗難防止機構付きキーセットのさらに他の構成上の特徴は、係止部を、シャッターの表面におけるキー挿通穴以外の部分を覆うカバー部材（２６）で構成し、カバー部材に係合凹部を設け、シャッターに収容凹部、弾性部材および係合磁石を設けたことにある。本発明によると、シャッターをカバー部材からなる係止部で保護できるため、シャッターが破損し難い盗難防止機構付きキーセットを得ることができる。なお、本発明において、シャッターの表面におけるキー挿通穴以外の部分とは、シャッターの回転操作により、キー挿通穴が移動する範囲以外の部分であり、その一部であっても全部であってもよい。
【００２９】
本発明に係る盗難防止機構付きキーセットのさらに他の構成上の特徴は、係止部をシリンダーに設け、シリンダーの係止部に、収容凹部、弾性部材および係合磁石を設け、シャッターに係合凹部を設けて、収容凹部が係合凹部に対向したときに、シャッターがキー挿入穴の少なくとも一部を塞ぐようにしたことにある。
【００３０】
本発明によると、部品点数が少なく構造が簡単な盗難防止機構付きキーセットを得ることができる。なお、収容凹部が係合凹部に対向したときに、ロック部によって、シャッターのシリンダーに対する回転ができなくなっても、メインキーをキー挿通穴とキー挿入穴に挿入してシリンダーをシャッターとともに回転させることができるが、本発明では、このような場合には、シャッターがキー挿入穴の少なくとも一部を塞いでメインキーをキー挿入穴に挿入できないようにしているため、盗難防止が可能になる。
【００３１】
本発明に係る盗難防止機構付きキーセットのさらに他の構成上の特徴は、被操作側面（４２ｂ）に開口するキー挿入穴（４２ａ）を有する回転可能なシリンダー（４２）とシリンダーを回転操作できなくするロック機構とを備えたシリンダー装置（４０）と、シリンダーを回転操作するための鍵とを備えた盗難防止機構付きキーセットであって、ロック機構に、シリンダーの表面に配置され、シリンダーの被操作側面におけるキー挿入穴以外の部分を覆う係止部（４６）と、シリンダーと係止部の一方に設けられた収容凹部（４２ｃ）とその内部に配置された弾性部材（２７ａ）および係合磁石（２７）と、シリンダーと係止部の他方に設けられた係合凹部（４６ｄ）からなり、収容凹部が係合凹部に対向したときに、弾性部材の押圧力により係合磁石を係合凹部に係合させてシリンダーを回転できなくし、係合磁石に所定の反発力または吸引力が付加されると弾性部材の押圧力に抗して係合磁石が収容凹部内に後退してシリンダーを回転可能な状態にするロック部とが備わり、鍵に、操作面を備えた鍵本体と、鍵本体の操作面側に設けられ、係合磁石に接近したときに、係合磁石を収容凹部の奥側に付勢する係合解除磁石と、操作面から突出するメインキーとが備わっていることにある。
【００３２】
本発明によると、鍵本体の操作面を係止部に近づけてロック部によるシリンダーの固定を解除する操作と、メインキーをキー挿入穴に挿入する操作を同時に行えるため、操作性に優れた盗難防止機構付きキーセットが得られる。また、盗難防止機構付きキーセットの部品点数を少なくして簡単な構成にすることができる。なお、本発明では、メインキーは、操作面から常時突出したものであってもよいし、進退可能なものであってもよい。
【図面の簡単な説明】
【００３３】
【図１】本発明の第１実施形態に係る盗難防止機構付きキーセットを備えた自動二輪車の要部を示した斜視図である。
【図２】盗難防止機構付きキーセットを示した斜視図である。
【図３】盗難防止機構付きキーセットを示した平面図である。
【図４】図３の４−４断面図である。
【図５】盗難防止機構付きキーセットのシャッター部を示した斜視図である。
【図６】シャッター部の分解図である。
【図７】図６に示したシャッター部を下方から見た状態を示した分解図である。
【図８】鍵を示しており、（ａ）はメインキーが後退した状態の斜視図、（ｂ）はメインキーが突出した状態の斜視図である。
【図９】鍵の分解図である。
【図１０】鍵の下面図である。
【図１１】メインキーを後退させた状態の鍵を示した断面図である。
【図１２】メインキーを突出させた状態の鍵を示した断面図である。
【図１３】シャッターがロックされた状態のシリンダー装置を示した平面図である。
【図１４】図１３のシリンダー装置に鍵を当てた状態を示した断面図である。
【図１５】図１４の鍵とシャッターを９０度回転してオフにした状態を示した断面図である。
【図１６】鍵、シャッターおよびシリンダーをオン側に回転した状態のシリンダー装置を示した平面図である。
【図１７】図１６の１７−１７断面図である。
【図１８】鍵、シャッターおよびシリンダーをロック側に回転した状態のシリンダー装置を示した平面図である。
【図１９】図１８の１９−１９断面図である。
【図２０】本発明の第３実施形態に係る盗難防止機構付きキーセットのシリンダー装置を示した断面図である。
【発明を実施するための形態】
【００３４】
（第１実施形態）
以下、本発明の第１実施形態を図面を用いて説明する。図１は、同実施形態に係る盗難防止機構付きキーセットＡを備えた自動二輪車１０の前部を示している。自動二輪車１０は、車体１１の下部の前後に前輪と後輪を設けるとともに、車体１１の中央上部に運転者が座るためのシートを設けて車両本体が構成されており、車体１１の前側上部に、アクセルグリップ１２とブレーキレバー１３とを備えたハンドル部１４が設けられている。そして、ハンドル部１４の中央上部に各種のメータを備えた表示部１５が設けられ、車体１１の前部におけるハンドル部１４の下方右側部分に盗難防止機構付きキーセットＡが設けられている。
【００３５】
盗難防止機構付きキーセットＡは、図２ないし図４に示したように、シリンダー装置２０と鍵３０で構成されている。なお、以下の説明において、盗難防止機構付きキーセットＡの前後、左右および上下の各方向は、図３，４に基づいたものとし、図３における上方が前方で、下方が後方とする。シリンダー装置２０は、イグニッション２１の上方に本発明に係るロック機構を構成するシャッター部２３を設置して構成されている。イグニッション２１は、シリンダー装置２０の本体を構成しており、上下に延びる円筒部２１ａを備えた基部の円筒部２１ａ内に、軸方向を合わせて略円筒状のシリンダー２２を軸周り方向に回転可能に設置して構成されている。
【００３６】
また、イグニッション２１には、ハンドル部１４をロックするためのロック装置のロックバー（図示せず）が連結されている。シリンダー２２は、円筒部２１ａ内で回転することにより、エンジンを始動させたり、停止させたりする他、ロック装置を作動させてハンドル部１４をロックする。シリンダー２２の内部には、上下に延びるキー挿入穴２２ａが形成されており、キー挿入穴２２ａの上端は、シリンダー２２の上端の被操作側面２２ｂに開口している。キー挿入穴２２ａの上端開口は細い長方形に形成されている。このキー挿入穴２２ａには、後述する鍵３０のメインキー３４を挿入することができ、メインキー３４をキー挿入穴２２ａに挿入した状態で、鍵３０を回転することにより、シリンダー２２を回転できる。
【００３７】
シャッター部２３は、図５ないし図７に示したように、略円板状のシャッター２４、シャッター２４を収容するケース部材２５とカバー部材２６、それぞれ３個の磁石２７とコイルバネ２７ａおよび、それぞれ１個のボール２８とコイルバネ２８ａを備えている。シャッター２４の中央には、上下に貫通するキー挿通穴２４ａが形成されており、このキー挿通穴２４ａの平面視による形状および大きさはシリンダー２２のキー挿入穴２２ａよりも僅かに大きくなっている。
【００３８】
また、シャッター２４の上面におけるキー挿通穴２４ａの周囲には、４つの円形の収容凹部２４ｂが左右前後に間隔を保って形成されている。各収容凹部２４ｂは、シャッター２４の上面における中心点からの距離がそれぞれ異なるように配置されている。そして、シャッター２４の上面におけるキー挿通穴２４ａの中央部の少し前方に、本発明に係る被係合部を構成する凸部２４ｃが形成されている。また、シャッター２４の下面における外周後側部分には、ボール２８とコイルバネ２８ａを収容できるボール用凹部２４ｄが形成されている。
【００３９】
磁石２７は、本発明に係る係合磁石を構成するもので、収容凹部２４ｂに軸を揃えて収容できる円柱状に形成されている。コイルバネ２７ａは、本発明に係る弾性部材を構成するもので、収容凹部２４ｂに軸を揃えて収容できる大きさに形成されている。各磁石２７と各コイルバネ２７ａは、それぞれ一組となって、４つの収容凹部２４ｂのうちの３つの収容凹部２４ｂ内に設置されており、収容凹部２４ｂの奥側にコイルバネ２７ａが位置し、収容凹部２４ｂの開口側に磁石２７が位置している。また、外部からコイルバネ２７ａを収縮させる力が加わらないときには、磁石２７の上端部は、収容凹部２４ｂの開口から上方に突出する。コイルバネ２８ａは、上端がボール用凹部２４ｄの天井面に支受されてボール用凹部２４ｄ内に伸縮可能に設置されており、下端部にボール２８が位置している。ボール２８は、回転可能な状態でコイルバネ２８ａによって下方に付勢されている。
【００４０】
ケース部材２５は、円板状の底面２５ａと、円板状の底面２５ａの周縁部から上方に延びる周壁２５ｂと、周壁２５ｂの外周面から下方に延びる略矩形の取付片２５ｃを備えている。そして、底面２５ａにおける中心と前端部の間に、上下に貫通する穴部２５ｄが形成されている。この穴部２５ｄの直径は、キー挿通穴２４ａの長手方向の長さと略同じに設定されている。また、底面２５ａの上面における穴部２５ｄの周囲には曲面状の凹部２４ｅ90，２４ｅON，２４ｅOFF，２４ｅLが周方向に間隔を保って形成され、底面２５ａの左右両側にそれぞれ上下に貫通するネジ挿通穴２５ｆが形成されている。さらに、底面２５ａの下面における穴部２５ｄの周囲から円筒状のシリンダー収容筒２５ｇが下方に延びている。
【００４１】
カバー部材２６は、ケース部材２５の内部に嵌合できる肉厚の円板状に形成されており、その下面における前部にシャッター２４を収容できる円形の凹部２６ａが形成され、凹部２６ａの上方に、凹部２６ａと中心を合わせて上下に貫通する操作穴２６ｂが形成されている。この操作穴２６ｂの直径は、ケース部材２５の穴部２５ｄの直径と同じになっている。また、凹部２６ａの天井面における操作穴２６ｂの周囲には、前後左右に間隔を保って一対の係合凹部２６ｃが４組、計８つ形成され、カバー部材２６の下面における左右両側にはそれぞれネジ穴２６ｄが形成されている。そして、カバー部材２６の上面における操作穴２６ｂの周囲には、キー操作の位置を示す「ＯＮ」、「ＯＦＦ」、「ＬＯＣＫ」の文字が表示されている。
【００４２】
このカバー部材２６は、凹部２６ａ内にシャッター２４を回転可能に収容した状態でケース部材２５に組み付けられ、２個のネジ２９をネジ挿通穴２５ｆに通し、ネジ穴２６ｄに螺合させることによって、ケース部材２５に固定されている。このように構成されたシャッター部２３では、ケース部材２５の穴部２５ｄ、シャッター２４のキー挿通穴２４ａおよびカバー部材２６の操作穴２６ｂが上下に重なるように配置されている。また、シャッター２４は、磁石２７の上端をカバー部材２６の下面に対向させた状態で凹部２６ａ内に収容されており、磁石２７の上部が係合凹部２６ｃに嵌合すると回転できず、磁石２７を下方に付勢してコイルバネ２７ａを収縮させると回転可能になる。
【００４３】
また、カバー部材２６の８つの係合凹部２６ｃは、シャッター２４が９０度回転するごとに、３個の磁石２７がいずれかの係合凹部２６ｃに係合できるように配置されている。さらに、ボール２８は、コイルバネ２８ａによって、ケース部材２５の底面２５ａに押し付けられており、シャッター２４の回転によりキー挿通穴２４ａの長手方向が前後方向に向いたときに、凹部２４ｅ90に嵌合する。また，キー挿通穴２４ａの一方の端部がカバー部材２６の上面の「ＯＮ」の文字に向いたときに凹部２４ｅONに嵌合し、「ＯＦＦ」の文字に向いたときに凹部２４ｅOFFに嵌合し、「ＬＯＣＫ」の文字に向いたときに凹部２４ｅLに嵌合する。
【００４４】
さらに、シャッター２４のキー挿通穴２４ａの端部が「ＯＦＦ」または「ＬＯＣＫ」の位置にあるときに、キー挿入穴２２ａとキー挿通穴２４ａは穴形状を一致させて連通する。このように構成されたシャッター部２３は、シリンダー収容筒２５ｇ内にシリンダー２２の上部を入れた状態でシリンダー収容筒２５ｇの下端部を円筒部２１ａの上端部に合わせ、取付片２５ｃを円筒部２１ａに固定することによってイグニッション２１に組み付けられている。なお、シャッター２４の収容凹部２４ｂに設置した磁石２７とコイルバネ２７ａおよびカバー部材２６に形成された係合凹部２６ｃで本発明に係るロック部が構成される。
【００４５】
鍵３０は、図８（ａ），（ｂ）に示したように、鍵本体３１からメインキー３４を進退可能にして構成されている。鍵３０は、図９に示したように、鍵本体３１を構成する一対の外カバー３１ａ、メインキー３４、スライダー３４ａ、３個の磁石３５、一対のボール３６、ボール押圧用の一対のコイルバネ３６ａ、キー突出用のコイルバネ３７、一対のスイッチ３８および４個のネジ３９を備えている。一対の外カバー３１ａは、曲面状の外面３１ｂと平面状の内面３１ｃを備えた縦長板状の略同じもので構成されており、内面３１ｃを対向させて組み付けられている。外カバー３１ａの内面３１ｃにおける中央部分には上下に延びる縦溝３１ｄが形成され、内面３１ｃにおける縦溝３１ｄの上方にはバネ支持穴３１ｅが形成され、内面３１ｃにおける縦溝３１ｄの下方には下端が開放された進退口３１ｆが形成されている。
【００４６】
また、内面３１ｃの上部両側には、縦溝３１ｄの上端側部分を挟むようにして、一対の摺動溝３２が形成されている。この摺動溝３２は、外カバー３１ａの側面から内部に向かって外側溝３２ａ、ガイド溝３２ｂ、ボール係止穴３２ｃを順に配置して形成されており、上下方向の幅が外側溝３２ａよりもガイド溝３２ｂが長く、外側溝３２ａよりもボール係止穴３２ｃが短くなっている。また、ボール係止穴３２ｃの先端は縦溝３１ｄに連通しており、ボール係止穴３２ｃの先端部分はボール３６が係合できる曲面に形成されている。そして、内面３１ｃの下部における縦溝３１ｄの両側にも、ボール係止穴３２ｃと同様のボール係止穴３２ｄが形成されている。ただし、ボール係止穴３２ｄは凹部で構成され外部に連通していない。
【００４７】
外カバー３１ａの下面には、図１０に示したように、一対で略円筒状になり、内部に進退口３１ｆが位置する操作凸部３３が形成されている。この操作凸部３３は、カバー部材２６の操作穴２６ｂに嵌合できる大きさに設定されており、下面には、シャッター２４の凸部２４ｃに係合できる凹部３３ａが形成されている。この凹部３３ａは、本発明に係る係合部を構成する。また、外カバー３１ａの下面における操作凸部３３の周囲には、シャッター２４の４つの収容凹部２４ｂに対向できるように４つの固定凹部３３ｂが左右前後に間隔を保って形成されている。
【００４８】
また、４つの固定凹部３３ｂのうち、磁石２７とコイルバネ２７ａがそれぞれ設置された３つの収容凹部２４ｂに対向する３つの固定凹部３３ｂ内に、磁石３５が固定されている。この磁石３５は、本発明の係合解除磁石を構成するもので、磁石２７の上端部とそれに対向する磁石３５の下端部が、互いに同極になって反発するように配置されている。この外カバー３１ａの下面と操作凸部３３の下面で、本発明に係る操作面が構成される。また、一対の外カバー３１ａのうちの一方（図９の右側の外カバー３１ａ）における縦溝３１ｄの両側の上下部分にそれぞれ前後に貫通するネジ挿通穴３１ｇが形成され、他方の外カバー３１ａの内面における４つのネジ挿通穴３１ｇに対向する部分には、それぞれネジ穴（図示せず）が形成されている。
【００４９】
スライダー３４ａはメインキー３４の上部に連結されており、鍵本体３１の縦溝３１ｄ内で上下にスライドすることにより、メインキー３４を進退口３１ｆを介して進退させる。このスライダー３４ａは、縦溝３１ｄ内をがたつくことなく摺動できる矩形の部材で構成されており、左右両側にそれぞれ収容凹部３４ｂが形成され、上面に円板状のバネ支受部３４ｃが形成されている。各収容凹部３４ｂには、コイルバネ３６ａによって外部側に付勢された状態でボール３６が収容されている。このボール３６は、スライダー３４ａの上下移動にともなって、縦溝３１ｄの内面に押圧された状態で上下移動し、ボール係止穴３２ｃ，３２ｄに対向したときに、ボール係止穴３２ｃ，３２ｄに係合してスライダー３４ａの移動を抑制する。
【００５０】
コイルバネ３７は、上端部がバネ支持穴３１ｅの天井面に当接し、下部がバネ支受部３４ｃを外嵌した状態で設置されて、外カバー３１ａに対してスライダー３４ａを下方に付勢する。そして、コイルバネ３７は、スライダー３４ａを上方に押し上げる力が加わると収縮してバネ支持穴３１ｅ内に収まる。このとき、ボール３６がボール係止穴３２ｃに係合して、コイルバネ３７は収縮した状態に維持される。ボール３６とボール係止穴３２ｃの係合が解除されると、コイルバネ３７は伸長してスライダー３４ａを縦溝３１ｄの下端まで移動させる。このとき、ボール３６がボール係止穴３２ｄに係合して、コイルバネ３７は伸長した状態に維持される。
【００５１】
スイッチ３８は、摺動溝３２に設置されてボール３６を押圧操作するためのもので、外側溝３２ａ内に位置し一部が外部に突出する操作部３８ａと、ガイド溝３２ｂ内に位置し所定の幅で左右に移動可能になったスライド部３８ｂと、ボール３６を押圧して収容凹部３４ｂ内に後退させる押圧部３８ｃで構成されている。このように、一対の外カバー３１ａに、メインキー３４、スライダー３４ａ、磁石３５、ボール３６、コイルバネ３６ａ，３７およびスイッチ３８をそれぞれ設置した状態で、一方の外カバー３１ａの各ネジ挿通穴３１ｇにネジ３９を通し、他方の外カバー３１ａの各ネジ穴に螺合させることにより、鍵３０が組み付けられている。
【００５２】
この鍵３０では、図１１に示したように、ボール３６がボール係止穴３２ｃに係合して、コイルバネ３７が収縮した状態に維持されているときに、一対のスイッチ３８をそれぞれ摺動溝３２の奥側に押し込むと、ボール３６とボール係止穴３２ｃの係合が解除されて、コイルバネ３７の弾性によってメインキー３４が進退口３１ｆから外部に突出する。この場合、図１２に示したように、ボール３６はボール係止穴３２ｄに係合する。
【００５３】
また、図１２の状態から、コイルバネ３７の弾性に抗してメインキー３４を外カバー３１ａ内に押し込むと、ボール３６とボール係止穴３２ｄの係合が解除されて、メインキー３４はスライダー３４ａとともに上昇してボール３６とボール係止穴３２ｃが係合する。すなわち、コイルバネ３７で本発明に係る鍵側弾性部材が構成され、ボール３６、コイルバネ３６ａおよびボール係止穴３２ｃで本発明に係る保持部が構成され、スイッチ３８で本発明に係る解除部が構成される。
【００５４】
つぎに、自動二輪車１０を使用する際の盗難防止機構付きキーセットＡの操作について説明する。自動二輪車１０を駐車させている場合、３つの磁石２７が３つの係合凹部２６ｃに係合して、シャッター２４はカバー部材２６に対して回転できない状態になっている。この磁石２７が係合凹部２６ｃに係合するときのシャッター２４の位置は、キー挿通穴２４ａの長手方向が左右方向を向いているときと、前後方向を向いているときであり、シャッター２４は９０度回転する毎にロックされる。ここでは、図１３に示したように、キー挿通穴２４ａの長手方向が前後方向に向いてシャッター２４はロックされているとする。
【００５５】
図１３の状態のシリンダー装置２０に、まず、鍵３０の下面である操作面を近づけて、操作凸部３３を操作穴２６ｂに嵌合させるとともに、凸部２４ｃと凹部３３ａを係合させる。この場合、磁石３５の下面は、カバー部材２６の上面に接してもよいし、接していなくてもよい。これによって、盗難防止機構付きキーセットＡは、図１４の状態になる。このとき、磁石２７は、磁石３５から反発力を受けて収容凹部２４ｂ内に入るため、シャッター２４は回転可能であるが、キー挿通穴２４ａの長手方向が前後方向に向いているのに対し、キー挿入穴２２ａの開口の長手方向は左右方向に向いているため、メインキー３４はキー挿通穴２４ａには挿入できてもキー挿入穴２２ａには挿入できない。このため、メインキー３４を後退させたままの状態で、鍵３０をシャッター２４とともに、キー挿通穴２４ａの端部が「ＯＦＦ」の位置（図３の状態）を向くまで回転させる。
【００５６】
これによって、図１５に示したように、キー挿通穴２４ａの長手方向が左右方向に向い、キー挿入穴２２ａとキー挿通穴２４ａは穴形状を一致させて連通した状態になる。つぎに、一対のスイッチ３８をそれぞれ押圧操作して、メインキー３４を進退口３１ｆから突出させる。これによって、図４に示したように、メインキー３４の下部は、キー挿通穴２４ａを通ってキー挿入穴２２ａ内に入る。そして、図１６および図１７に示したように、鍵３０の平面視による長手方向の端部が「ＯＮ」の位置を向くまで、鍵３０を回転すると、鍵３０とともに、シャッター２４とシリンダー２２が回転して、エンジンが始動する。その状態で、アクセルグリップ１２やブレーキレバー１３等を操作して自動二輪車１０を走行させることができる。また、メインキー３４がキー挿入穴２２ａ内に入った状態で、シャッター２４とシリンダー２２を回転させるときには、外カバー３１ａの下面がカバー部材２６の上面から多少離れていてもよい。
【００５７】
また、自動二輪車１０を停止させて、鍵３０の平面視による長手方向の端部が「ＯＦＦ」の位置を向くまで鍵３０を回転するとエンジンは停止する。さらに、図１８および図１９に示したように、鍵３０の平面視による長手方向の端部が「ＬＯＣＫ」の位置を向くまで、鍵３０を回転すると、ハンドル部１４はロックされて回転操作できなくなる。なお、メインキー３４は、鍵３０の平面視による長手方向の端部が「ＯＦＦ」の位置を向いているときと、「ＬＯＣＫ」の位置を向いているときに、キー挿入穴２２ａから抜き取ることができる。
【００５８】
鍵３０の平面視による長手方向の端部が「ＯＦＦ」の位置を向いているときに、メインキー３４をキー挿通穴２４ａから抜き取ると、シャッター２４はロックされて回転できない状態に維持される。また、キー挿通穴２４ａの端部が「ＬＯＣＫ」の位置を向いているときに、メインキー３４をキー挿通穴２４ａから抜き取ると、シャッター２４は回転可能な状態になっているが、回転によりキー挿通穴２４ａの長手方向が左右方向または前後方向に向いたときにロックされて回転できなくなる。なお、自動二輪車１０の駐車時に、キー挿通穴２４ａの長手方向が左右方向に向いた状態にしておくこともできるが、防犯上から、キー挿通穴２４ａの長手方向が前後方向に向いた図１３の状態にしておくことが好ましい。
【００５９】
このように、本実施形態に係る盗難防止機構付きキーセットＡでは、シリンダー装置２０に、シリンダー２２のキー挿入穴２２ａに穴形状を一致させて連通できるキー挿通穴２４ａを備えたシャッター２４を設けるとともに、カバー部材２６に対してシャッター２４を回転可能にしたり、回転不可にしたりできるロック部を設けている。一方、鍵３０には、磁石２７に対して反発力を与える磁石３５を鍵本体３１の操作面である下面に設けるとともに、メインキー３４を鍵本体３１の下面から進退可能にしている。
【００６０】
このため、磁石２７に磁石３５を対向させた状態で鍵３０をシャッター２４とともに回転させて、キー挿通穴２４ａをキー挿入穴２２ａに一致した状態で連通させると、メインキー３４を突出させてキー挿通穴２４ａとキー挿入穴２２ａに挿入することができる。これによって、シリンダー２２の回転操作が可能になる。このように、シャッター２４を回転させて、キー挿通穴２４ａをキー挿入穴２２ａに一致させた状態で連通させる操作と、メインキー３４を突出させてキー挿通穴２４ａとキー挿入穴２２ａに挿入する操作が、鍵３０を持ち換えることなく、鍵３０の操作面をシャッター２４の上面に当てたままの状態で行える。このため、メインキー３４のキー挿入穴２２ａへの挿入が容易になる。
【００６１】
また、シャッター２４に凸部２４ｃを設けるとともに、鍵本体３１に凹部３３ａを設けて、凸部２４ｃと凹部３３ａが係合しているときに、磁石２７と磁石３５が対向してシャッター２４が回転可能になるようにしている。このため、凸部２４ｃと凹部３３ａを係合させたまま、鍵３０を回転させて、キー挿通穴２４ａとキー挿入穴２２ａを一致させて連通させることができる。この結果、シャッター２４の回転操作が容易かつ確実になる。さらに、ロック部を複数設けたため、より効果的な盗難防止が可能になる。すなわち、盗難防止機構付きキーセットＡでは、４つの収容凹部２４ｂに対して、３組の磁石２７とコイルバネ２７ａを用いているため、磁石２７の配置パターンをさらに増やすことができる。
【００６２】
さらに、盗難防止機構付きキーセットＡでは、シャッター２４の下面にボール用凹部２４ｄを形成してその内部にコイルバネ２８ａによって下方に付勢されたボール２８を設置するとともに、ケース部材２５の底面２５ａに凹部２４ｅ90，２４ｅON，２４ｅOFF，２４ｅLを形成している。そして、シャッター２４の回転によりキー挿通穴２４ａの長手方向が前後方向に向いたとき、キー挿通穴２４ａの端部がカバー部材２６の上面の「ＯＮ」、「ＯＦＦ」、「ＬＯＣＫ」にそれぞれ向いたときに、ボール２８が凹部２４ｅ90，２４ｅON，２４ｅOFF，２４ｅLのうちの対応する部分に係合するようにしている。このため、キー操作したときにクリック感が生じ、キー操作の状態を視覚だけでなく、触覚によっても得られる。また、シャッター２４を、キー挿通穴２４ａの端部が「ＯＮ」、「ＯＦＦ」、「ＬＯＣＫ」に正確に向いた適正位置に停止させることができる。
【００６３】
前述した第１実施形態の変形例として、カバー部材に磁石とコイルバネを設け、シャッターに係合凹部を設けてもよい。この場合、カバー部材の厚みを厚くして、シャッターの厚みを薄くする。また、鍵に設ける磁石は、カバー部材の磁石を吸引するように両磁石の対向する端部どうしが異極になるように設置する。さらに、前述した第１実施形態の他の変形例として、ケース部材に磁石とコイルバネを設け、シャッターに係合凹部を設けてもよいし、シャッターに磁石とコイルバネを設け、ケース部材に係合凹部を設けてもよい。これらの場合も、ケース部材とシャッターの厚み、および、鍵に設ける磁石の配置は適宜設定する。
【００６４】
（第２実施形態）
図示は省略するが、本発明の第２実施形態として、シリンダーの上面に収容凹部を形成して、その内部に、コイルバネによって上方に付勢された磁石を設置し、シャッターの下面に磁石が係合できる係合凹部を設けることもできる。この場合、収容凹部が係合凹部に対向したときに、シャッターがキー挿入穴の少なくとも一部を塞ぐようにしてメインキーをキー挿入穴に挿入できないようにする。また、鍵は前述した鍵３０と同様のものを使用する。本実施形態によっても、前述した第１実施形態と同様の作用効果を得ることができる。
【００６５】
（第３実施形態）
図２０は、本発明の第３実施形態に係る盗難防止機構付きキーセットに備わったシリンダー装置４０を示している。このシリンダー装置４０では、シリンダー４２の内部に形成されたキー挿入穴４２ａの上端は被操作側面４２ｂに開口しており、被操作側面４２ｂにおけるキー挿入穴４２ａの開口の周囲に、４つの収容凹部４２ｃ（２つしか図示せず）が形成されている。そして、４つの収容凹部４２ｃのうちの３つの収容凹部４２ｃに、コイルバネ２７ａによって上方に付勢された状態で磁石２７が設置されている。
【００６６】
そして、シリンダー４２の上方に係止部４６が設置されている。この係止部４６は、操作穴４６ｂが形成された円板状の基部４６ａの下面における操作穴４６ｂの周囲に下方に延びるシリンダー収容筒４６ｅ形成するとともに、基部４６ａの下面とシリンダー収容筒４６ｅの周面にかけての部分に略矩形の取付片４６ｃを形成して構成されている。そして、基部４６ａの下面における４つの収容凹部４２ｃに対向する部分に、それぞれ係合凹部４６ｄが形成されている。このシリンダー装置４０のそれ以外の部分の構成は、前述したシリンダー装置２０と同じである。すなわち、シリンダー装置４０にはシャッターが備わっていない。
【００６７】
また、盗難防止機構付きキーセットの鍵としては、前述した鍵３０を用いてもよいが、鍵３０からメインキー３４を鍵本体３１から進退させる機構を除いてメインキー３４を突出した状態に固定したものを用いてもよい。本実施形態によると、突出したメインキー３４を操作穴４６ｂとキー挿入穴４２ａに挿入しながら鍵本体３１の操作面を係止部４６に近づけて、磁石２７を収容凹部４２ｃ内に押し込むことにより、磁石２７と係合凹部４６ｄの係合を解除することができる。このため、そのまま鍵３０を操作してシリンダー４２を回転させることができる。
【００６８】
このように、本実施形態によると、ロック部によるシリンダー４２の固定を解除する操作と、メインキー３４をキー挿入穴４２ａに挿入する操作を同時に行えるため、操作性に優れた盗難防止機構付きキーセットが得られる。また、盗難防止機構付きキーセットの部品点数を少なくして簡単な構成にすることもできる。なお、本実施形態では、シリンダー４２に設けられた収容凹部４２ｃ、磁石２７およびコイルバネ２７ａと、係止部４６に設けられた係合凹部４６ｄで本発明に係るロック部が構成され、係止部４６とロック部でロック機構が構成される。
【００６９】
また、前述した第３実施形態の変形例として、係止部に磁石とコイルバネを設け、シリンダーに係合凹部を設けてもよい。この場合、鍵に設ける磁石は、係止部の磁石を吸引するように両磁石の対向する端部どうしが異極になるように設置する。
【００７０】
本発明に係る盗難防止機構付きキーセットは、前述した各実施形態に限るものでなく、本発明の技術的範囲内で適宜変更することができる。例えば、前述した実施形態では、盗難防止機構付きキーセットを自動二輪車１０に設けているが、本発明に係る盗難防止機構付きキーセットは、自動二輪車１０の他、他の車両、産業機器、船舶などに用いることもできる。また、盗難防止機構付きキーセットを構成する各部材の形状についても適宜変更が可能である。
【符号の説明】
【００７１】
２０，４０…シリンダー装置、２２，４２…シリンダー、２２ａ，４２ａ…キー挿入穴、２２ｂ，４２ｂ…被操作側面、２３…シャッター部、２４…シャッター、２４ａ…キー挿通穴、２４ｂ，４２ｃ…収容凹部、２４ｃ…凸部、２６…カバー部材、２６ｃ，４６ｄ…係合凹部、２７，３５…磁石、２７ａ，３６ａ，３７…コイルバネ、３０…鍵、３１…鍵本体、３２ｃ…ボール係止穴、３３ａ…凹部、３４…メインキー、３４ｂ…収容凹部、３６…ボール、３８…スイッチ、４６…係止部、Ａ…盗難防止機構付きキーセット。
【要約】
【課題】  操作性が優れた盗難防止機構付きキーセットを提供すること。
【解決手段】  キー挿入穴２２ａを有するシリンダー２２とシャッター部２３を備えたシリンダー装置２０と、鍵３０で盗難防止機構付きキーセットＡを構成した。シャッター部２３に、シリンダー２２の被操作側面２２ｂ側に回転可能に配置されキー挿入穴２２ａに穴形状を一致させて連通できるキー挿通穴２４ａを有するシャッター２４と、シャッター２４に対向して配置されたカバー部材２６と、シャッター２４に設けられた収容凹部２４ｂと、その内部に配置された磁石２７とコイルバネ２７ａおよびカバー部材２６に設けられた係合凹部２６ｃとからなるロック部を設けた。鍵３０に、鍵本体３１の操作面側に設けられ磁石２７に接近したときに磁石２７を収容凹部２４ｂの奥側に付勢する磁石３６と、鍵本体３１の操作面から進退可能なメインキー３４とを設けた。
【選択図】  図４【図１】
0005639303.tif 000002
【図２】
0005639303.tif 000003
【図３】
0005639303.tif 000004
【図４】
0005639303.tif 000005
【図５】
0005639303.tif 000006
【図６】
0005639303.tif 000007
【図７】
0005639303.tif 000008
【図８】
0005639303.tif 000009
【図９】
0005639303.tif 000010
【図１０】
0005639303.tif 000011
【図１１】
0005639303.tif 000012
【図１２】
0005639303.tif 000013
【図１３】
0005639303.tif 000014
【図１４】
0005639303.tif 000015
【図１５】
0005639303.tif 000016
【図１６】
0005639303.tif 000017
【図１７】
0005639303.tif 000018
【図１８】
0005639303.tif 000019
【図１９】
0005639303.tif 000020
【図２０】
0005639303.tif 000021